(57)【特許請求の範囲】
【請求項１】
輸転機の印刷部で印刷されたウェブ紙を折畳部まで案内するためのレールフレーム部に設置されるウェブガイド装置であって、
ウェブ紙の幅方向にウェブ紙の幅より広い間隔をおいて平行に、かつ、回転可能に支持された一対のネジ軸と、
前記ネジ軸に螺合する雌ネジ部を有することで前記ネジ軸に設置されるとともに、一対のネジ軸の間で２本のガイドローラーを回転可能、かつ、平行に支持するガイドローラー支持部と、
前記一対のネジ軸が回転することによって、一方のネジ軸に設けられたガイドローラー支持部と、他方のネジ軸に設けられたガイドローラー支持部とが、互いに逆方向に同じ距離だけ移動するように前記一対のネジ軸を回転させるネジ軸回転手段と、
前記ガイドローラー支持部の位置を検出する検出手段と、
検出したガイドローラー支持部の位置を表示する位置表示手段と、
を有し、
前記２本のガイドローラーのそれぞれに対してウェブ紙の一方の面と他方の面が巻きつくことで、前記２本のガイドローラーによる前記ウェブ紙の案内が行われることを特徴とするウェブガイド装置。
【請求項２】
印刷部で印刷されたウェブ紙を折畳部まで案内するためのレールフレーム部を有する輪転機であって、
印刷部で印刷されたウェブ紙の通る複数のウェブ紙経路の少なくとも１個所に、請求項１に記載のウェブガイド装置が設けられていることを特徴とする輸転機。
【発明の詳細な説明】
【技術分野】
【０００１】
本発明は、輪転機のウェブガイド装置に関するものである。
【背景技術】
【０００２】
従来、輪転機における連続紙（以下、「ウェブ紙」と記す。）の紙端位置及び紙中心位置調整を行う装置として、バイアス装置が知られている。バイアス装置は、輪転機の印刷部と折畳部の間にあるレールフレーム部に設けられ、ウェブ紙走行方向に直角にかつ２本平行に並んだガイドローラーと、該ガイドローラーの両端部に設けられた偏芯スリーブを有するガイドローラー支持部にて構成される。輪転機停止中にウェブ紙を給紙部から折畳部へ通してウェブ紙の中心位置の確認を行い、調整が必要な時に２本のガイドローラーの両端部にある偏芯スリーブを回転させ、ガイドローラーの軸心をウェブ紙の紙巾方向と平行な方向に対して角度を持たせ、ウェブ紙の中心位置を調整する。
【０００３】
他方、輪転機運転中におけるウェブ紙の蛇行制御及び紙端位置及び紙中心位置のずれを調整する装置として、ウェブガイド装置が知られている。
【０００４】
例えば、下記特許文献１及び２には、センターピボット方式のウェブガイド装置が開示されている。センターピボット方式は、ウェブ紙走行方向の上流側と下流側との二つのガイドローラーを平行かつ水平に支持する補助フレームを有し、前記補助フレームは上流側ガイドローラーの軸方向中央近傍に垂直方向の回転軸が設けられている。そして、他のガイドローラーによって、垂直下方から案内されたウェブ紙は上流側ガイドローラーに９０度巻いて下流側ガイドローラーへ導かれ、下流側ガイドローラーに上流側ガイドローラーと接したウェブ紙の同じ面を９０度巻いてウェブ紙を垂直下方へ案内するようになっている。前記回転軸を中心に補助フレームを角変位させることにより、上流側ガイドローラーと下流側ガイドローラーは互いに平行を保ったまま動き、ウェブ紙の紙巾方向と平行な方向に対して角度をなし、これによりウェブガイド装置より下流側のウェブ紙を紙巾方向に移動する。
【０００５】
また、前述の方式と異なる方式のウェブガイド装置が提案されている。例えば、下記特許文献３には、輪転機フレームに固定されたウェブ紙走行方向に直角かつ互いに平行に設けた二つの固定ガイドローラーと、補助フレームと該補助フレーム上に水平に支持されて固定されたウェブ紙走行方向の上流側と下流側に直角かつ互いに平行に設けた二つの調整用ガイドローラーと、を有し、前記補助フレームの輪転機駆動側における上流側と下流側の二本の調整用ガイドローラーの中間近傍に垂直方向の回転軸が設けられて水平方向に角変位させる角変位手段を有するウェブガイド装置が開示されている。ウェブ紙走行方向上流側より該ウェブガイド装置に導入されたウェブ紙は、上流側固定ガイドローラーにウェブ紙の表面を接し、略１８０度にわたって巻き付いて反転しながら上流方向へ戻り、補助フレーム上にウェブ紙走行方向に直角となるように二本が平行に並べて設けられた上流側調整用ガイドローラーに裏面を接し、略１８０度にわたって巻き付き再反転し下流側へ導かれ、下流側調整用ガイドローラーに上流側調整用ガイドローラーと接したウェブ紙の同じ面を略１８０度にわたって巻き付き再々反転して再度上流方向へ戻り、下流側固定ガイドローラーに導かれ、上流側固定ガイドローラーと接したウェブ紙の同じ面を略１８０度にわたって巻き付き４回目の反転をし、装置下流側へ案内されていく。前記補助フレームの操作側をウェブ紙走行方向に対して進み方向又は遅れ方向に動かし、駆動側回転軸を中心に補助フレームを角変位させることにより、上流側ガイドローラーと下流側ガイドローラーは互いに平行を保ったまま動き、ウェブ紙の紙巾方向と平行な方向に対して角度をなし、これによりウェブガイド装置より下流側のウェブ紙を紙巾方向に移動する。
【０００６】
一方、下記特許文献４には、輪転機フレームに固定されたウェブ紙走行方向に直角かつ互いに平行に設けた二つの固定ガイドローラーと、ウェブ紙走行方向に直角かつ互いに平行に保ち角変位可能に設けた二つの調整用ガイドバーと、前記二つの調整用ガイドバーを一体で水平方向に角変位させる角変位手段を有するウェブガイド装置が開示されている。ウェブ紙走行方向上流側より該ウェブガイド装置に導入されたウェブ紙は、上流側固定ガイドローラーにウェブ紙の表面を接し、略１８０度にわたって巻き付いて反転しながら上流方向へ戻り、互いに平行に保ちながら角変位可能に設けられている二本の調整用ガイドバーの上流側調整用ガイドバーに裏面を接し、略１８０度にわたって巻き付き再反転し下流方向へ導かれ、下流側調整用ガイドバーに上流側調整用ガイドローラーと接したウェブ紙の同じ面を略１８０度にわたって巻き付き再々反転して再度上流方向へ戻り、下流側固定ガイドローラーに導かれ、上流側固定ガイドローラーと接したウェブ紙の同じ面を略１８０度にわたって巻き付けて４回目の反転をし、下流側へ案内されていく。操作側の前記連結部材をウェブ紙走行方向に対して進み方向又は遅れ方向に動かすと、上流側調整用ガイドバーと下流側調整用ガイドバーは互いに平行を保ったままそれぞれが駆動側支持部材の回転軸を中心に角変位し、ウェブ紙の紙巾方向と平行な方向に対して角度をなし、これによりウェブガイド装置より下流側のウェブ紙を紙巾方向に移動する。
【０００７】
さらに、下記特許文献５には、蛇行修正装置として、一種のウェブガイド装置が提案されている。外部からの動力を使わない該装置は、ウェブ紙の蛇行検知を行う検知ローラーを備えたウェブ紙走行方向の上流側にある一つのガイドローラーと、下流側にある検知したウェブ紙の蛇行を修正する一つのガイドローラーを有し、他のガイドローラーによって、ウェブ紙走行方向上流の水平方向から案内されたウェブ紙は上流側ガイドローラーに略９０度巻いて垂直下方にある下流側ガイドローラーへ導かれ、下流側ガイドローラーに上流側ガイドローラーと接したウェブ紙の反対面を巻いてウェブ紙を垂直下方へ案内するようになっている。前記上流側ガイドローラーは、紙巾方向においてガイドローラー中心部の周面とガイドローラー両端部にある検知ローラー周面とは機械的に分離され、かつ、両側の検知ローラーは、ガイドローラー中心部の内部で歯車を介して結合された構造を備えている。前記上流側ガイドローラー部と前記下流側ガイドローラー部とは、上流側ガイドローラー両端部にある検知ローラーから下流側ガイドローラー両端に設けられた軸支持部の雌ネジに螺合したネジ軸に駆動軸と歯車で接続され、駆動力を伝えられる。下流側ガイドローラーは、ガイドローラー両端の軸部を支え、かつ前記ネジ軸に螺合する雌ネジを有するローラー軸支持部と、ガイドローラー両側にウェブ紙走行方向と略平行に設けられて検知ローラーと接続された駆動軸と連結するネジ軸から構成されている。実際の作動は、ウェブ紙が上流側ガイドローラーの中心から外れると上流側ガイドローラー両端のどちらか片方の検知ローラー上をウェブ紙が走行することにより検知ローラーを回転駆動し、上流側ガイドローラー両側の駆動軸から下流側ガイドローラー両側に設けられているネジ軸へ同時に回転が伝わり、ネジ軸上にあるガイドローラー両端の軸支持部がウェブ紙走行方向に対して互いに反対方向（片方が進み方向ならば、その反対は遅れの方向）へ移動し、両側の支持部の中心にある下流側ガイドローラーが紙巾方向の中心を回転軸に角変位し、下流側ガイドローラーがウェブ紙の紙巾方向と平行な方向に対して角度をなし、これによりウェブ紙が走行した検知ローラーと紙巾方向において反対の方向へウェブ紙を移動させることを可能としている。
【先行技術文献】
【特許文献】
【０００８】
【特許文献１】特開平１１−２２２３４１号公報
【特許文献２】特開２０００−１２８４０８号公報
【特許文献３】特公平６−２９１０８号公報
【特許文献４】特許第３３８２１９６号明細書
【特許文献５】特開平８−５３２４５号公報
【発明の概要】
【発明が解決しようとする課題】
【０００９】
かつて主流の主軸駆動方式の輪転機では、印刷部や折畳部をはじめ回転駆動される機械の部分間には縦横に駆動軸が通っていたが、最近はシャフトレス駆動方式による部分ごとの個別駆動が主流となった。このシャフトレス駆動方式では、駆動軸が必要ないために輪転機の部分間で駆動軸の芯を合わせる必要がないので、組み付け精度を出す必要がなくなり、据え付け工期も短縮された。しかし、輪転機据え付け工事中の検査では問題が発生しなくても、輪転機設置後にウェブ紙を輪転機に通したときに、ウェブ紙の通り芯のずれが発生し問題となることがあった。
【００１０】
また、近年では、ユーザーからの求めに応じて、多色化、多ページ化、多セクション化が可能で高い付加価値のついた印刷物を生産でき、さらに省人化を進めることができる高機能輪転機が提供されている。
【００１１】
ここで、多色化とは、印刷部に単色印刷可能な印刷機を藍色（ｃ：シアン）、紅色（ｍ：マゼンタ）、黄色（ｙ：イエロー）、墨色（ｋ：ブラック）の４色分用意し、現在主流のタワー型輪転機の場合では印刷部に前記各色印刷可能な印刷機を４段重ねにして、４色印刷を行えるようにすることをいう。しかし、タワー型輪転機では、輪転機全体の高さが高くなり、ウェブガイド装置等の設置されるレールフレーム部は輪転機の最も高い位置となり、省人化を行うには、遠隔操作が可能であるウェブガイド装置が求められていた。
【００１２】
また、多ページ化とは、１台で８ページ印刷可能な印刷部を４台乃至６台まで増やすことにより行うことをいう。印刷可能なページが増えることは、使用するウェブ紙の数も増えることを意味する。倍幅の輪転機では、ウェブガイド装置が１ウェブ紙に対して、操作側（以下、「ＯＳ」と表記する。）紙及び駆動側（以下、「ＤＳ」と表記する。）紙それぞれに１台必要となるので、多ページ化によるウェブ紙の増加はそのままウェブガイド装置の増加となり、増加した装置の設置のためのスペースの確保が必要となる。そのため、少ないスペースで設置可能であり、かつ、設置方法に自由度のあるウェブガイド装置が求められていた。
【００１３】
また、多セクション化とは、折畳部のフォーマー板を複数台使い、複数のセクション（折丁）から一部の新聞を形成することをいう。倍幅の輪転機では、両面で８ページ分印刷されたウェブ紙を複数のフォーマー板に導入するために、倍幅のウェブ紙はレールフレーム部のドラッグローラー上でスリッターナイフによって、ＯＳ紙とＤＳ紙のウェブ紙に分けられる。ところが、折畳部のフォーマー板に入るまでのウェブ紙の経路でＯＳ紙の縁とＤＳ紙の縁が干渉して、ウェブ紙の破損（断紙）の原因となることがあった。そのため、ＯＳ紙とＤＳ紙に分けた後、それぞれのフォーマー板に導入される前にそれぞれのウェブ紙の縁が干渉しない程度にウェブ紙の巾方向の位置を予め決められた位置まで離し、干渉が起きていない時には元の位置に戻すことが容易にできるウェブガイド装置が求められていた。
【００１４】
そして、従来、バイアス装置を使用して行っていた、ウェブ紙の紙巾方向の位置調整は、輪転機停止中にそれぞれの紙通しコースにウェブ紙を通して、手動で工具を使って調整する必要があり、運転中の調整及び遠隔操作による調整が不可能で、調整量の数値管理等もできなかった。
【００１５】
他方、ウェブガイド装置におけるセンターピボット方式では、遠隔操作は可能であるが、補助フレームがあるため補助フレームの据え付けスペースが必要となり、さらに、ウェブ紙が補助フレームに設けられているウェブ紙走行方向の上流側ガイドローラーへ入るための立ち上がりと下流側ガイドローラーから出ていくための立ち下がりのスペースを必要とするため、ウェブ紙の走行方向に対して、水平方向及び垂直方向のスペースが必要であった。
【００１６】
なお、上掲した特許文献３の方法は、遠隔操作は可能であるが、補助フレームを有している関係上、ウェブ紙走行方向に対して垂直方向へ補助フレームの支持部及び可動部のスペースを必要とし、４本のガイドローラーのそれぞれが紙巾方向へ向けて配置され、かつ４本を平行に並べる方向に設置されるため、水平方向においてもスペースを必要とするものであった。
【００１７】
また、上掲した特許文献４の方式は、遠隔操作は可能であるが、補助フレームは必要としないものの、ガイドバーを支える支持回転部材を有し、ウェブガイド装置を構成するガイドローラー２本とガイドバー２本のそれぞれが紙巾方向へ向けて配置され、かつ４本を平行に並べる方向に設置されるため、水平方向でのスペースを必要とし、垂直方向へはローラー２本分のスペースを必要とするものである。さらに、バイアス装置を除く前記ウェブガイド装置においては、水平状態での据え付けを基本としているので、設置場所及び設置方法に制限があった。
【００１８】
さらに、上掲した特許文献５の方式は、補助フレームを備えず、設置場所及び設置方法の制限がないが、外部からの動力を使わずに自動蛇行修正を行う装置のため、蛇行検出の機能及びウェブガイドの動力をローラーの回転より得る機能を有する上流側のガイドローラーの構造が複雑なうえに径が大きくなって回転する慣性が大きくなるので、倍幅のウェブ紙が高速で走行する輪転機においては、ウェブガイド装置として使用することが極めて困難であった。
【００１９】
本発明は、上述した従来技術の課題に鑑みてなされたものであり、その目的は、従来の輪転機における機器配置を大きく変更することなく、複数のウェブガイド装置を狭いスペースにしかも設置方向を問わずに設置可能であり、さらに電動による遠隔操作及び位置表示が可能なウェブガイド装置と、このウェブガイド装置を備える輪転機を提供することを目的とするものである。またさらに、位置表示を可能とすることで、ＯＳ紙とＤＳ紙の縁が干渉する際には、各ウェブ紙の巾方向位置を干渉しない予め決められた位置まで離し、干渉がない場合には、もとの位置に容易に戻すことが可能なウェブガイド装置と、このウェブガイド装置を備える輪転機を提供することを目的とするものである。
【課題を解決するための手段】
【００２０】
本発明は、特許請求の範囲に記載した構成によって前記目的を達成するものであって、本発明に係るウェブガイド装置は、輸転機の印刷部で印刷されたウェブ紙を折畳部まで案内するためのレールフレーム部に設置される装置であって、ウェブ紙の幅方向にウェブ紙の幅より広い間隔をおいて平行に、かつ、回転可能に支持された一対のネジ軸と、前記ネジ軸に螺合する雌ネジ部を有することで前記ネジ軸に設置されるとともに、一対のネジ軸の間で２本のガイドローラーを回転可能、かつ、平行に支持するガイドローラー支持部と、前記一対のネジ軸が回転することによって、一方のネジ軸に設けられたガイドローラー支持部と、他方のネジ軸に設けられたガイドローラー支持部とが、互いに逆方向に同じ距離だけ移動するように前記一対のネジ軸を回転させるネジ軸回転手段と、を有し、前記２本のガイドローラーのそれぞれに対してウェブ紙の一方の面と他方の面が巻きつくことで、前記２本のガイドローラーによる前記ウェブ紙の案内が行われることを特徴とするものである。
【００２１】
また、本発明に係るウェブガイド装置は、前記ガイドローラー支持部の位置を検出する検出手段と、検出したガイドローラー支持部の位置を表示する位置表示手段と、を有することとすることができる。
【００２２】
さらに、印刷部で印刷されたウェブ紙を折畳部まで案内するためのレールフレーム部を有する輪転機において、印刷部で印刷されたウェブ紙の通る複数のウェブ紙経路の少なくとも１個所に、上記のウェブガイド装置を設けるようにすることもできる。
【発明の効果】
【００２３】
本発明は、設置スペースが小さく、しかも設置方向を問わないので、複数のウェブ紙を扱う輪転機において、従来のレールフレーム部の機器配置を大幅に変更せず、ウェブガイド装置を容易に導入可能とするものである。また、本発明によれば、輪転機運転中のウェブガイド装置の遠隔操作及び調整量の確認を容易に行うことができるようになり、操作時には、ウェブ紙を紙巾方向における所望する任意の位置へと移動することが可能となる。
【図面の簡単な説明】
【００２４】
【図１Ａ】本実施形態に係るウェブガイド装置を備えた新聞輪転機の構成を例示する図である。
【図１Ｂ】図１ＡにおけるＯＳ半裁ウェブ紙２２ｈＯＳとＤＳ半裁ウェブ紙２２ｈＤＳの交差部Ｉを拡大した図である。
【図１Ｃ】図１Ａにおける折畳部５のフォーマー板の構成及び折畳装置５４の構成を示す、Ｂ矢視概略図である。
【図２】輪転機のレールフレーム部において、倍幅の１ウェブ紙がスリッターナイフによってＯＳ半裁ウェブ紙とＤＳ半裁ウェブ紙に分けられ、ウェブガイド装置を通ってフォーマー板に至る様子をウェブ紙の走行方向に沿って示す概略模式図である。
【図３】第１実施例に係るウェブガイド装置の構成を示す立体透視概略図であり、特に、１枚の半裁ウェブ紙に対応する１台のウェブガイド装置の構成を示すものである。
【図４】図３のウェブガイド装置のＡ矢視概略図である。
【図５】第１実施例に係るウェブガイド装置が有する制御部の構成を示すブロック図である。
【図６】輪転機タッチパネルとウェブガイド装置の現在値を表示している画面、及び、ウェブガイド装置操作スイッチパネルを示す図である。
【図７】第２実施例に係るウェブガイド装置４５の構成を示す正面概略図であり、図３のウェブガイド装置のＡ矢視概略図と同様の概略図である。
【発明を実施するための形態】
【００２５】
以下、本発明を実施するための好適な実施形態及び実施例について、図面を用いて説明する。なお、以下の実施形態及び実施例は、各請求項に係る発明を限定するものではなく、また、実施形態及び実施例の中で説明されている特徴の組み合わせの全てが発明の解決手段に必須であるとは限らない。
【００２６】
＜ウェブガイド装置を備えた輪転機の構成＞
図１Ａは、本実施形態に係るウェブガイド装置を備えた新聞輪転機の構成を例示する図である。また、図１Ｂは、図１ＡにおけるＯＳ半裁ウェブ紙２２ｈＯＳとＤＳ半裁ウェブ紙２２ｈＤＳの交差部Ｉを拡大した図である。図１Ｃは、図１Ａにおける折畳部５のフォーマー板の構成及び折畳装置５４の構成を示す、Ｂ矢視概略図である。また、図２は、レールフレーム部４において、倍幅の１ウェブ紙がスリッターナイスによってＯＳ半裁ウェブ紙とＤＳ半裁ウェブ紙に分けられ、ウェブガイド装置４５を通ってフォーマー板に至る様子をウェブ紙の走行方向に沿って示す概略模式図である。なお、図２において、矢印Ｘはウェブ紙２２の走行方向を示している。また、図２では、ターンバー装置４３、コンペンセーターローラー装置４４、及び中間のガイドローラー等の詳細は、省略してある。以下に、本実施形態に係るウェブガイド装置４５を備えた新聞輪転機１の構成を、ウェブ紙２２の走行方向であるＸ方向に沿って説明する。
【００２７】
本実施形態に係る新聞輪転機１は、給紙部２と、印刷部３と、レールフレーム部４と、折畳部５とを有して構成されている。
【００２８】
給紙部２は、倍幅の巻取紙２１を懸架可能な不図示のリールアームと、巻取紙２１から巻き出されるウェブ紙２２の張力制御装置２３を備えている。
【００２９】
印刷部３は、４つの印刷機３１ｃ、３１ｍ、３１ｙ、３１ｋを備えており、これら４つの印刷機３１ｃ、３１ｍ、３１ｙ、３１ｋは、前記給紙部２より送り出され適正な張力を与えられた倍幅の前記ウェブ紙２２に対して、１台で全紙サイズの表裏８ページの紙面に藍色（ｃ）、紅色（ｍ）、黄色（ｙ）、墨色（ｋ）の各色印刷を行う機能を有している。
【００３０】
レールフレーム部４は、前記印刷部３より送り出されて印刷された倍幅のウェブ紙２２をレールフレーム部４へ送り込むドラッグローラー４１と、ドラッグローラー４１と協働して前記ウェブ紙２２をＸ方向に対し平行に半分に切断して２分の１幅のウェブ紙（以下、「半裁」と記す。）２２ｈとするスリッターナイフ４２と、目的に応じて半裁となった前記半裁ウェブ紙２２ｈをＯＳからＤＳ(又はＤＳからＯＳ)に移動するターンバー装置４３と、それぞれの前記半裁ウェブ紙２２ｈごとに折畳部５における裁断位置を前記印刷された半裁ウェブ紙２２ｈのＸ方向のページとページの間に調整するコンペンセーターローラー装置４４と、可動する平行に配された２本のガイドローラーに半裁となった前記半裁ウェブ紙２２ｈをＳ字状に巻きつけて、前記半裁ウェブ紙２２ｈの紙巾方向における中心位置を調整するウェブガイド装置４５と、これらの装置の間に設けられた複数のガイドローラーと、を備えている。このレールフレーム部４は、前記ウェブ紙２２及び半裁ウェブ紙２２ｈを、前記印刷部３から、折畳部５に複数あるフォーマー板５２，５３の該当する前記フォーマー板５２，５３の折上ドラッグローラー５１まで案内する機能を有する。
【００３１】
折畳部５は、前記折上ドラッグローラー５１まで案内された複数の前記半裁ウェブ紙２２ｈを重ね合わせてフォーマー板５２，５３へと送り込む前記折上ドラッグローラー５１と、折上ドラッグローラー５１に送り込まれ重ね合わされた前記半裁ウェブ紙２２ｈをＸ方向に対して平行に半分に折畳む前記フォーマー板５２，５３と、前記フォーマー板５２，５３でそれぞれ半分ごとに折畳まれた複数の前記半裁ウェブ紙２２ｈを一つにまとめ、１ページ長に裁断し、前記半裁ウェブ紙２２ｈから裁断された１ページ長の１部の新聞を裁断方向に対して平行に半分にさらに折り曲げて搬送コンベアー（図示せず）へ並べて置き、前記搬送コンベアー（図示せず）に並べて置かれた前記新聞を排出口５５から搬出する前記折畳装置５４と、を備えている。
【００３２】
図１Ａ、及び図１Ｃの新聞輪転機１には、給紙部２が２台、印刷部３が２台、折畳部５のフォーマー板５２，５３のそれぞれがＯＳとＤＳに１台ずつで計２台、折畳装置５４が１台又は２台備わっており、全紙サイズの新聞で全１６ページ４色印刷を行い、４つのセクション（折丁）から構成される１部の新聞を作成する機能を有する。
【００３３】
なお、本発明に係る新聞輪転機の構成は、図１で例示した本実施形態の構成に限定されるものではないことは勿論である。
【００３４】
＜第１実施例におけるウェブガイド装置の構成＞
次に、本実施形態に係る新聞輪転機１が備えるウェブガイド装置４５の具体的な構成例について、第１実施例として説明する。ここで、図３は、第１実施例に係るウェブガイド装置４５の構成を示す立体透視概略図であり、特に、１枚の全幅のウェブ紙２２ｈよりＸ方向に平行に２分された半裁ウェブ紙２２ｈＤＳに対応する１台のウェブガイド装置４５の構成を示すものである。また、図４は、図３のウェブガイド装置４５のＡ矢視概略図である。
【００３５】
１枚の半裁ウェブ紙２２ｈＤＳに対応するウェブガイド装置４５は、前記レールフレーム部４のＯＳフレーム４５１及びＤＳフレーム４５２の内面に、ブラケットＰによって軸方向をウェブ紙走行方向Ｘに対して略平行に回転可能かつ軸方向位置が固定されて設けられたＯＳネジ軸４５４及びＤＳネジ軸４５５を有している。ＯＳネジ軸４５４及びＤＳネジ軸４５５には、本発明に係る雌ネジを備えたＯＳガイドローラー支持部４５４２，４５４３とＤＳガイドローラー支持部４５５２，４５５３が螺合しており、これらＯＳガイドローラー支持部４５４２，４５４３とＤＳガイドローラー支持部４５５２，４５５３によって、２本のガイドローラー４５６，４５７が支持されている。ガイドローラー支持部としてのＯＳガイドローラー支持部４５４２，４５４３とＤＳガイドローラー支持部４５５２，４５５３は、前記ＯＳネジ軸４５４及びＤＳネジ軸４５５上にそれぞれ２個等間隔で配置されており、それぞれの前記ガイドローラー支持部４５４２，４５４３，４５５２，４５５３に設けられた不図示の軸受部に対して前記ガイドローラー４５６，４５７の両端にある軸部が回転可能に嵌めこまれ、前記上流側ガイドローラー４５６と下流側ガイドローラー４５７とが平行を保持した状態で配置される。
【００３６】
第１実施例に係るウェブガイド装置４５は、駆動モーター６１２を前記ＯＳフレーム４５１の外面に備えており、駆動モーター６１２によって回転駆動される駆動軸４５３が、ＯＳフレーム４５１を貫通して、ＤＳフレーム４５２内面へと伸びており、ＯＳフレーム４５１及びＤＳフレーム４５２で支えられている。また、ＯＳフレーム４５１内面の個所では、ＯＳネジ軸４５４の端部と駆動軸４５３とが互いに傘歯車４５３１，４５４１で直角に噛合し、さらに、ＤＳフレーム４５２内面の個所では、ＤＳネジ軸４５５の端部と駆動軸４５３とが互いに傘歯車４５３２，４５５１で直角に噛合している。傘歯車４５３１，４５４１と傘歯車４５３２，４５５１の噛合は、ＯＳネジ軸４５４とＤＳネジ軸４５５が互いに逆に回動するように組み付けられており、それぞれが互いに逆に同じ角度だけ回動することにより、ＯＳガイドローラー支持部４５４２，４５４３とＤＳガイドローラー支持部４５５２，４５５３が互いに逆方向へ同じ距離移動するように構成されている。
【００３７】
つまり、ネジ軸回転手段は、駆動モーター６１２、駆動軸４５３、及び傘歯車４５３１，４５３２，４５４１，４５５１によって、構成されている。
【００３８】
＜ウェブガイド装置の制御部の構成＞
図５は、第１実施例に係るウェブガイド装置４５が有する制御部６の構成を示すブロック図である。また、図６は、ウェブガイド装置４５によって案内されているウェブ紙２２及び半裁ウェブ紙２２ｈの紙巾方向における現在の中心位置（以下、「現在値」と記す。）の表示を行う、現在値表示画面６３５を表示している輪転機タッチパネル６３１とウェブガイド装置操作スイッチパネル６３２を示す図である。
【００３９】
第１実施例に係るウェブガイド装置４５の制御部６は、レールフレーム盤６１と、折部盤６２と、輪転機運転操作部６３と、駆動モーター６１２に内蔵されモーターの出力軸回転角度を検知するポテンショメーター６１４とを有している。第１実施例に係るウェブガイド装置４５は、新聞輪転機１の最上部に設けられているレールフレーム部４にあるので、モーター駆動線６１３及びポテンショメーター６１４からの検出信号を伝える信号線６１５は、配線距離を最短にできるレールフレーム盤６１へ接続されている。この制御部６では、レールフレーム盤６１が有するレールフレームＰＬＣ（Ｐｒｏｇｒａｍｍａｂｌｅ  Ｌｏｇｉｃ  Ｃｏｎｔｒｏｌｅｒ）６１１によって、駆動モーター６１２のオン／オフ及び正・逆転制御と駆動モーター６１２に設けられたポテンショメーター６１４から出力される検知信号の処理が行われる。駆動モーター６１２は、減速ギア及びブレーキ付（図示せず）のモーターであって、それぞれのウェブガイド装置４５のネジ軸４５４及び４５５の回転量の上限／下限設定用のカム及びリミットスイッチ（図示せず）と、前述のポテンショメーター６１４とを備える。すなわち、駆動モーター６１２が備える上限／下限設定用のカム及びリミットスイッチ（図示せず）と、検知信号用のポテンショメーター６１４といった機器が、本発明の検出手段として機能している。
【００４０】
一方、操作を行うウェブガイド装置操作スイッチパネル６３２は、レールフレーム部４と離れている印刷フロアＰＦＬの折畳装置５４の排出口５５（新聞の排出口）付近にある輪転機運転操作部６３に設けられている。ウェブガイド装置操作スイッチパネル６３２のそれぞれのスイッチからの駆動モーター６１２を正・逆転させる信号は、印刷フロアＰＦＬにある折部盤６２の折部ＰＬＣ６２１へ信号線６３４経由で入力が行われ、その信号は、輪転機内専用ネットワーク６４経由でレールフレーム盤６１へ転送されて、レールフレーム盤６１のレールフレームＰＬＣ６１１が受信し、処理が行われる。また、ポテンショメーター６１４によって検知されたモーター出力軸の回転角度に基づくウェブガイド装置４５の現在値表示については、輪転機運転操作部６３に設けられているとともに折部ＰＬＣ６２１に対して通信線６３３で接続されている輪転機タッチパネル６３１にて行われる。つまり、第１実施例に係る輪転機タッチパネル６３１が、本発明の位置表示手段として構成されている。
【００４１】
＜前記構成による作動＞
図３では、１枚の半裁ウェブ紙２２ｈＤＳは、Ｘ方向上流より水平方向からウェブガイド装置４５へ導入されて、上流側ガイドローラー４５６へ半裁ウェブ紙２２ｈＤＳ下面を接して略９０度巻き付きながら下方へ方向を変えて進み、次に下流側ガイドローラー４５７へは、上流側ガイドローラー４５６と半裁ウェブ紙２２ｈＤＳの接した面と反対面を接して略９０度巻き付きながら水平方向へ進行方向を変えて進み、さらにＸ方向下流側へ案内されていく。
【００４２】
紙巾方向において走行位置の中心にある半裁ウェブ紙２２ｈＤＳは、ウェブガイド装置４５を通る過程で、紙巾方向における移動がなされる。図４におけるガイドローラー４５６，４５７が、図４の紙面に対して時計回り方向にわずかに角変位している狭幅間隔の破線のガイドローラー４５６ａ，４５７ａの位置に移動すると、Ｘ方向上流の水平手前方向より導入された半裁ウェブ紙２２ｈＤＳは、上流側ガイドローラー４５６に接する部分では紙巾方向において実線の上流側ガイドローラー４５６と同じ紙巾方向において走行位置の中心で下面を接する。そこから半裁ウェブ紙２２ｈＤＳは、下面を接しながら上流側ガイドローラー４５６に略９０度巻き付き、走行方向であるＸ方向を水平方向より下方へ変えながら下流側ガイドローラー４５７へ進むが、上流側ガイドローラー４５６は、図４の紙面に対して時計回り方向にわずかに角変位している狭幅間隔の破線のガイドローラー４５６ａの位置にあるので、半裁ウェブ紙２２ｈＤＳは垂直下方よりもＤＳ（左）方向に角度をなして傾きながら進み、狭幅間隔の破線のガイドローラー４５７ａの位置にある下流側ガイドローラー４５７に紙巾方向において走行位置の中心よりもＤＳ（左）の位置に上面を接し、下流側ガイドローラー４５７に略９０度巻きついてＸ方向下流側の水平奥方向へさらに案内されていく。その結果、半裁ウェブ紙２２ｈＤＳはＤＳへの移動がなされる。
【００４３】
次に、半裁ウェブ紙２２ｈＤＳの紙巾方向におけるＯＳへの移動について説明を行う。図４におけるガイドローラー４５６，４５７が、図４の紙面に対して反時計回り方向にわずかに角変位している広幅間隔の破線のガイドローラー４５６ｂ，４５７ｂの位置に移動すると、Ｘ方向上流の水平手前方向より導入された半裁ウェブ紙２２ｈＤＳは、上流側ガイドローラー４５６に接する部分では紙巾方向において実線の上流側ガイドローラー４５６と同じ紙巾方向において走行位置の中心で下面と接する。そこから半裁ウェブ紙２２ｈＤＳは、下面を接しながら上流側ガイドローラー４５６に略９０度巻き付き、走行方向であるＸ方向を水平方向より下方へ変えながら下流側ガイドローラー４５７へ進むが、上流側ガイドローラー４５６は、図４の紙面に対して反時計回り方向にわずかに角変位している広幅間隔の破線のガイドローラー４５６ｂの位置にあるので、半裁ウェブ紙２２ｈＤＳは垂直下方よりもＯＳ（右）方向に角度をなして傾きながら進み、広幅間隔の破線のガイドローラー４５７ｂの位置にある下流側ガイドローラー４５７に紙巾方向において走行位置の中心よりもＯＳ（右）の位置に上面を接し、下流側ガイドローラー４５７に略９０度巻きついてＸ方向下流側の水平奥方向へさらに案内されていく。その結果、半裁ウェブ紙２２ｈＤＳはＯＳへの移動がなされる。
【００４４】
通常、印刷の前後及び印刷中、印刷作業者は、前記折畳装置５４の排出口５５付近に設けられた輪転機運転操作部６３で輪転機運転操作を行い、排出口５５から排出された新聞を手にとって印刷状態の確認を行う。その結果、選択された半裁ウェブ紙２２ｈを紙巾方向へ移動する場合、作業者は、輪転機運転操作部６３の輪転機タッチパネル６３１におけるウェブガイド装置４５の現在値表示画面６３５をメニュー画面から開き、該当するウェブガイド装置４５における現在値の確認を行い、ウェブガイド装置操作スイッチパネル６３２の該当するスイッチを操作して、半裁ウェブ紙２２ｈをＯＳ又はＤＳの方向へ移動させる。なお、ウェブガイド装置４５のスイッチ操作を行っている間のみ、駆動モーター６１２が正転あるいは逆転作動する。
【００４５】
駆動モーター６１２が作動して駆動軸４５３が回動すると、駆動軸４５３とＯＳ／ＤＳのネジ軸４５４，４５５の間にある傘歯車４５３１，４５４１，４５３２，４５５１の噛合の向きにより、それぞれのネジ軸４５４，４５５が互いに逆に回動し、同じ向きにネジ溝が切られている（例えば右ネジが切られている）ＯＳネジ軸４５４とＤＳネジ軸４５５に螺合されているＯＳガイドローラー支持部４５４２，４５４３とＤＳガイドローラー支持部４５５２，４５５３は、ＯＳとＤＳで反対方向へ同じ距離移動する。その結果、ＯＳガイドローラー支持部４５４２，４５４３とＤＳガイドローラー支持部４５５２，４５５３の間に設けられている平行に配置された上流側ガイドローラー４５６と下流側ガイドローラー４５７は、互いに平行を保ったまま、半裁ウェブ紙２２ｈの紙巾方向と平行な方向に対して角度をなし、これによりウェブガイド装置４５より下流側の半裁ウェブ紙２２ｈが紙巾方向へ移動する。
【００４６】
輪転機タッチパネル６３１に表示されるウェブガイド装置４５の現在値表示画面６３５では、半裁ウェブ紙２２ｈの紙巾方向での現在の位置をｍｍ（ミリメートル）単位で表示する。この表示は、半裁ウェブ紙２２ｈが本来の走行位置にあると０ｍｍとなる。また、半裁ウェブ紙２２ｈの紙巾方向での調整可能範囲は、ＯＳ／ＤＳともに０〜１０ｍｍであり、スイッチの操作を行って駆動モーター６１２が作動すると、リアルタイムに半裁ウェブ紙２２ｈの現在値の変更が行われ、移動後の値が表示される。さらに、ＯＳ／ＤＳでは、それぞれ１０ｍｍで限界検出が行われるので、たとえスイッチが操作されていても、ＯＳ／ＤＳにおいて半裁ウェブ紙２２ｈの紙巾方向での現在の位置が１０ｍｍに達すると、ウェブガイド装置４５の作動を停止して装置の保護を行う。
【００４７】
ウェブガイド装置４５は、ガイドローラーの面長が倍幅のウェブ紙２２に対応しているので、半裁ウェブ紙２２ｈの紙巾方向の位置の調整のみならず、倍幅のウェブ紙２２において紙巾方向の位置のずれが発生した場合でも対応可能であり、印刷準備作業の紙通し作業、又は印刷を通して複数のウェブ紙２２の紙巾方向の位置のずれが発生した場合でも、輪転機運転操作部６３にある輪転機タッチパネル６３１のウェブガイド装置４５の現在値表示画面６３５にて該当するウェブガイド装置４５の現在値を確認後、ウェブガイド装置操作スイッチパネル６３２にて該当するウェブガイド装置４５の操作を行うことで、容易に倍幅のウェブ紙２２の紙巾方向の位置調整を行うことができる。
【００４８】
また、倍幅の新聞輪転機１で、図１Ｃにおける折畳部５の複数のフォーマー板５２（ＯＳ，ＤＳ），５３（ＯＳ，ＤＳ）を使い、複数のセクション（折丁）から一部を構成する新聞の作成を行う多セクション印刷では、印刷部３までは多セクション印刷を行わない通常の印刷と同じウェブ紙２２の紙通し経路を通り、印刷部３で両面８ページ分印刷されたウェブ紙２２はレールフレーム部４のドラッグローラー上４１でスリッターナイフ４２によりＯＳ紙とＤＳ紙の半裁ウェブ紙２２ｈに分割されて、多セクション印刷を行わないときの紙通し経路と異なる経路で、予め決められた折畳部５のフォーマー板５２（ＯＳ，ＤＳ），５３（ＯＳ，ＤＳ）へ進む。図１Ａにおける折畳部５の左側に配置された印刷部３で印刷されたウェブ紙２２は、レールフレーム部４のドラッグローラー４１上でスリッターナイフ４２によってＯＳ紙とＤＳ紙の半裁ウェブ紙２２ｈに分けられ、図１Ａでは、ＯＳ半裁ウェブ紙２２ｈＯＳは上側を、ＤＳ半裁ウェブ紙２２ｈＤＳは下側を進む紙通し経路に分かれ、コンペンセーターローラー装置４４、ウェブガイド装置４５等を経由して、上側のＯＳ半裁ウェブ紙２２ｈＯＳはフォーマー板５３ＯＳへ進み、下側のＤＳ半裁ウェブ紙２２ｈＤＳはフォーマー板５２ＤＳへ進む。ところが、それぞれの半裁ウェブ紙ｈが折畳部５のフォーマー板５２ＤＳ，５３ＯＳに入るまでの間で、図１Ａ、及び図１Ｂにおいてフォーマー板５２ＤＳの折上ドラッグローラー５１手前で上方向から下方向へ向かう上側のＯＳ半裁ウェブ紙２２ｈＯＳと、左方向から右方向へ横切る下側のＤＳ半裁ウェブ紙２２ｈＤＳが交差する部分Ｉがあり、互いに接近しすぎると前記交差部Ｉで各縁が干渉し、ウェブ紙２２の破損（断紙）の原因となる。しかし、印刷前の印刷準備作業におけるウェブ紙２２を新聞輪転機１の予め与えられた多セクション印刷の紙通し経路に通した段階で、作業者は干渉を認識できるため、印刷準備段階において、輪転機運転操作部６３が有する輪転機タッチパネル６３１のウェブガイド装置４５の現在値表示画面６３５にて、該ウェブガイド装置４５の現在値を確認後、ウェブガイド装置操作スイッチパネル６３２にて該ウェブガイド装置４５の操作を行い、それぞれの半裁ウェブ紙２２ｈを容易に干渉しない程度に離れた位置に調整することが可能であり、その結果、印刷工程に影響を及ぼさない対応が可能となる。
【００４９】
＜第２実施例におけるウェブガイド装置の構成＞
以上、第１実施例に係るウェブガイド装置４５の具体的な構成と作動手順についての説明を行った。ただし、本発明に係るウェブガイド装置の構成は、上述した第１実施形態には限られず、あらゆる変形形態を採用することができる。そこで、次に、図７を用いて、第２実施形態に係るウェブガイド装置４５の構成例についての説明を行う。ここで、図７は、第２実施例に係るウェブガイド装置４５の構成を示す正面概略図であり、図３のウェブガイド装置のＡ矢視概略図と同様の概略図である。なお、上述した本実施形態及び第１実施例で説明した部材と同一又は類似する部材については、同一符号を付して説明と図示を省略する場合がある。
【００５０】
１枚の半裁ウェブ紙２２ｈＤＳに対応するウェブガイド装置４５は、レールフレーム部４のＯＳフレーム４５１及びＤＳフレーム４５２の内面に、ブラケットＰによって軸方向をウェブ紙走行方向Ｘに対して略平行に回転可能かつ軸方向位置が固定されて設けられたＯＳネジ軸４５４及びＤＳネジ軸４５５を有している。ＯＳネジ軸４５４及びＤＳネジ軸４５５には、雌ネジを備えた一体物のガイドローラー支持部４５４４，４５５４によって、２本のガイドローラー４５６，４５７が支持されている。一体物のガイドローラー支持部４５４４，４５５４は、前記ＯＳネジ軸４５４及びＤＳネジ軸４５５上にそれぞれ配置されており、また、一体物のガイドローラー支持部４５４４，４５５４に設けられた不図示の軸受部に対して前記ガイドローラー４５６，４５７の両端にある軸部が回転可能に嵌めこまれ、前記上流側ガイドローラー４５６と下流側ガイドローラー４５７とが平行を保持した状態で配置される。
【００５１】
第２実施例に係るウェブガイド装置４５は、駆動モーター６１２ＯＳと駆動モーター６１２ＤＳを、ＯＳフレーム４５１とＤＳフレーム４５２の内面に備えており、それぞれの駆動モーター６１２ＯＳ，６１２ＤＳの駆動軸は垂直下方へ向けて出ていて、前記ＯＳフレーム４５１内面では駆動モーター６１２ＯＳからＯＳネジ軸４５４へ、前記ＤＳフレーム４５２内面では駆動モーター６１２ＤＳからＤＳネジ軸４５５へ、それぞれ駆動軸が直接結合されている。そして、前記ＯＳネジ軸４５４とＤＳネジ軸４５５のそれぞれが互いに逆に同じ角度だけ回動することにより、ガイドローラー支持部４５４４，４５５４が互いに逆方向へ同じ距離だけ移動するように構成されている。
【００５２】
以上、本発明の好適な実施形態及び実施例について説明したが、本発明の技術的範囲は上記実施形態及び実施例に記載の範囲には限定されない。上記実施形態及び実施例には、多様な変更又は改良を加えることが可能である。
【００５３】
例えば、本発明に係る駆動装置の設置場所、駆動方法及び作動方向などは、上述した実施形態及び実施例に記載した内容の限りではなく、さらに、上述した実施形態及び実施例の駆動モーターは、油圧モーター、空圧モーター等のアクチユエーターを採用してもよく、電動機に限定されるものでないことは勿論である。
【００５４】
また、上述したウェブ紙や半裁ウェブ紙などがウェブガイド装置内を通過する方向については、上述した実施形態及び実施例には限られない。本発明の適用は、あらゆる角度方向に送られるウェブ紙等に対して適用可能であり、また、そのようなあらゆる走行方向でウェブ紙等を送ることのできるウェブガイド装置を構成することも可能である。
【００５５】
さらに、上述した第１実施例及び第２実施例では、いずれも２本のネジ軸（ＯＳネジ軸４５４及びＤＳネジ軸４５５）の回転方向が逆回転となっていたが、これら２本のネジ軸の回転方向については、両ネジ軸とも同一の回転方向とすることができる。すなわち、各ガイドローラー支持部（４５４２，４５５２，４５４３，４５５３、及び４５４４，４５５４）を上述した第１実施例及び第２実施例の場合と同様に動作させることができれば、２本のネジ軸（ＯＳネジ軸４５４及びＤＳネジ軸４５５）の回転方向は、同一であっても逆であっても構わない。
【００５６】
またさらに、本発明で用いられる駆動モーターの設置位置について、上述した第１実施例では、ＯＳフレーム４５１の外面側に駆動モーター６１２を設置した場合を例示し、一方、上述した第２実施例では、ＯＳフレーム４５１及びＤＳフレーム４５２のそれぞれの内面側に対して１つずつ駆動モーター６１２（ＯＳ，ＤＳ）を設置した場合を例示した。しかしながら、本発明の駆動モーターについては、上述した第１及び第２実施例の場合と同様の作用効果を発揮することを条件として、あらゆる場所に対して設置することが可能である。また、設置個数についても、任意に選択することが可能である。
【００５７】
その様な変更又は改良を加えた形態も本発明の技術的範囲に含まれ得ることが、特許請求の範囲の記載から明らかである。
【産業上の利用可能性】
【００５８】
この発明は、移動するウェブ状の素材の端面位置／中心位置のずれを調整する装置及び蛇行制御装置に利用可能である。
【符号の説明】
【００５９】
１  新聞輪転機、２  給紙部、２１  巻取紙、２２  ウェブ紙、２２ｈ（ＯＳ，ＤＳ）  半裁ウェブ紙、２３  張力制御装置、３  印刷部、３１  印刷機（ｃ：藍色、ｍ：紅色、ｙ：黄色、ｋ：墨色）、４  レールフレーム部、４１  ドラッグローラー、４２  スリッターナイフ、４３  ターンバー装置、４４  コンペンセーターローラー装置、４５（ＯＳ，ＤＳ）  ウェブガイド装置、４５１  ＯＳフレーム、４５２  ＤＳフレーム、４５３  駆動軸、４５３１，４５３２，４５４１，４５５１  傘歯車、４５４  ＯＳネジ軸、４５４２  ＯＳ上流側ガイドローラー支持部、４５４３  ＯＳ下流側ガイドローラー支持部、４５４４  ＯＳガイドローラー支持部、４５５  ＤＳネジ軸、４５５２  ＤＳ上流側ガイドローラー支持部、４５５３  ＤＳ下流側ガイドローラー支持部、４５５４  ＤＳガイドローラー支持部、４５６  上流側ガイドローラー、４５７  下流側ガイドローラー、５  折畳部、５１  折上ドラッグローラー、５２（ＯＳ，ＤＳ），５３（ＯＳ，ＤＳ）  フォーマー板、５４（ＯＳ，ＤＳ）  折畳装置、５５  排出口、６  ウェブガイド装置の制御部、６１  レールフレーム盤、６１１  レールフレームＰＬＣ、６１２（ＯＳ，ＤＳ）  駆動モーター、６１３  モーター駆動線、６１４  ポテンショメーター、６１５  現在値信号線、６２  折部盤、６２１  折部ＰＬＣ、６３  輸転機運転操作部、６３１  輪転機タッチパネル、６３２  ウェブガイド装置操作スイッチパネル、６３３  通信線、６３４  信号線、６３５  輪転機タッチパネル上にウェブガイド装置の現在値を表示中の画面、６４  輪転機内専用ネットワーク、ＰＦＬ  印刷フロア、ＲＦＬ  給紙フロア、Ｐ  ネジ軸支持ブラケット、Ｉ  ＯＳ半裁紙２２ｈＯＳとＤＳ半裁紙２２ｈＤＳの交差部。
【図１Ａ】
0005229753.tif 000002
【図１Ｂ】
0005229753.tif 000003
【図１Ｃ】
0005229753.tif 000004
【図２】
0005229753.tif 000005
【図３】
0005229753.tif 000006
【図４】
0005229753.tif 000007
【図５】
0005229753.tif 000008
【図６】
0005229753.tif 000009
【図７】
0005229753.tif 000010